【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
第1の無線アクセス技術(RAT)および支援RATを使用してワイヤレスネットワークにおいて通信するための方法であって、
前記第1のRATを使用してアクセスポイントと第1の接続を確立するステップと、
前記支援RATを使用して前記アクセスポイントと第2の接続を確立するステップと、
前記支援RATのタイムラインに少なくとも部分的に基づいて前記第1の接続のタイミングを同期させるステップと、
前記タイミングを前記同期させることに少なくとも部分的に基づいて、少なくとも前記第1の接続を介して前記アクセスポイントとデータを通信するステップと、
前記支援RATを使用して前記第2の接続を介して前記アクセスポイントと、前記第1の接続のタイミングを同期させた後に、前記第１の接続のための前記第1のRATの制御データを通信するステップであり、前記制御データが、前記第1のRATの１または複数のプリアンブル信号、前記第1のRATのフィードバック、あるいは、前記第1のRATのチャネル状態情報の少なくとも１つからなる、ステップと
を含む方法。
【請求項２】
少なくとも前記第2の接続を介して制御データを通信するステップが、前記支援RATを使用して前記第2の接続を介して、少なくとも前記第1の接続を介して前記アクセスポイントと通信された前記データを復号するための前記第1のRATの1つまたは複数のプリアンブル信号を受信するステップを含む、請求項1に記載の方法。
【請求項３】
前記1つまたは複数のプリアンブル信号が、レガシー信号(L-SIG)または超高スループット信号(VHT-SIG)を含み、前記第1のRATが、ワイヤレスローカルエリアネットワーク(WLAN)RATである、請求項2に記載の方法。
【請求項４】
前記第1のRATの前記1つまたは複数のプリアンブル信号を前記第2の接続を介して受信することと同時に、前記第1のRATの前記1つまたは複数のプリアンブル信号を前記第1の接続を介して受信するステップと、
前記第1の接続を介して受信された前記1つまたは複数の受信されたプリアンブル信号を、前記第2の接続を介して受信された前記1つまたは複数の受信されたプリアンブル信号と結合するステップと
をさらに含む、請求項2に記載の方法。
【請求項５】
少なくとも前記第2の接続を介して制御データを通信するステップが、前記第2の接続を介して前記アクセスポイントから、前記フィードバックとして、少なくとも前記第1の接続を介して前記アクセスポイントと通信された前記データについての確認応答(ACK)または否定ACK(NACK)フィードバックを受信するステップを含む、請求項1に記載の方法。
【請求項６】
前記ACKまたはNACKフィードバックを受信するステップが、少なくとも前記第1の接続を介して前記アクセスポイントとデータを通信する前記ステップが行われる最後のTTIの後に前記支援RATの前記タイムラインの送信時間間隔(TTI)で前記ACKまたはNACKフィードバックを受信するステップを含む、請求項5に記載の方法。
【請求項７】
前記アクセスポイントから受信されたヌルデータパケット(NDP)またはNDP告知(NDPA)に少なくとも部分的に基づいて圧縮されたV行列を生成するステップをさらに含み、少なくとも前記第2の接続を介して制御データを通信するステップが、前記チャネル状態情報として前記支援RATを使用して前記第2の接続を介して前記圧縮されたV行列を前記アクセスポイントに送信するステップを含む、請求項1に記載の方法。
【請求項８】
少なくとも前記第2の接続を介して制御データを通信するステップが、更新された圧縮されたV行列を前記第2の接続を介して前記アクセスポイントに定期的に送信するステップをさらに含む、請求項7に記載の方法。
【請求項９】
前記第1のRATがワイヤレスローカルエリアネットワーク(WLAN)RATであり、前記支援RATがセルラー技術RATである、請求項1に記載の方法。
【請求項１０】
第1の無線アクセス技術(RAT)および支援RATを使用してワイヤレスネットワークにおいて通信するための装置であって、
前記第1のRATを使用してアクセスポイントと第1の接続を確立するように構成された第1のRAT無線機と、
前記支援RATを使用して前記アクセスポイントと第2の接続を確立するように構成された支援RAT無線機と、
メモリ構成要素と、
前記メモリ構成要素に結合された少なくとも1つのプロセッサと
を備え、前記少なくとも1つのプロセッサおよび前記メモリ構成要素が、
前記支援RATのタイムラインに少なくとも部分的に基づいて前記第1の接続のタイミングを同期させることであり、前記第1のRAT無線機が、前記タイミングを前記同期させることに少なくとも部分的に基づいて少なくとも前記第1の接続を介して前記アクセスポイントとデータを通信するように構成される、同期させることと、
前記支援RATを使用して前記第2の接続を介して前記アクセスポイントと、前記第1の接続のタイミングを同期させた後に、前記第１の接続のための前記第1のRATの制御データを通信するステップであり、前記制御データが、前記第1のRATの１または複数のプリアンブル信号、前記第1のRATのフィードバック、あるいは、前記第1のRATのチャネル状態情報の少なくとも１つからなる、ことと
を行うように構成される装置。
【請求項１１】
前記少なくとも1つのプロセッサおよび前記メモリ構成要素が、前記支援RATを使用して前記第2の接続を介して、少なくとも前記第1の接続を介して前記アクセスポイントと通信する前記データを復号することに関係する前記第1のRATの1つまたは複数のプリアンブル信号を受信するように構成される、請求項10に記載の装置。
【請求項１２】
前記1つまたは複数のプリアンブル信号が、レガシー信号(L-SIG)または超高スループット信号(VHT-SIG)を含み、前記第1のRATが、ワイヤレスローカルエリアネットワーク(WLAN)RATである、請求項11に記載の装置。
【請求項１３】
前記少なくとも1つのプロセッサおよび前記メモリ構成要素がさらに、
前記第1のRATの前記1つまたは複数のプリアンブル信号を前記第2の接続を介して受信することと同時に、前記第1のRATの前記1つまたは複数のプリアンブル信号を前記第1の接続を介して受信し、
前記第1の接続を介して受信された前記1つまたは複数のプリアンブル信号を、前記第2の接続を介して受信された前記1つまたは複数のプリアンブル信号と結合する
ように構成される、請求項11に記載の装置。
【請求項１４】
前記少なくとも1つのプロセッサおよび前記メモリ構成要素が、前記第2の接続を介して前記アクセスポイントから、前記フィードバックとして、少なくとも前記第1の接続を介して前記アクセスポイントと通信された前記データについての確認応答(ACK)または否定ACK(NACK)フィードバックを受信するように構成される、請求項10に記載の装置。
【請求項１５】
前記少なくとも1つのプロセッサおよび前記メモリ構成要素が、少なくとも前記第1の接続を介して前記アクセスポイントとデータを通信する前記ステップが行われる最後のTTIの後に前記支援RATの前記タイムラインの送信時間間隔(TTI)で前記ACKまたはNACKフィードバックを受信するように構成される、請求項14に記載の装置。
【請求項１６】
前記少なくとも1つのプロセッサおよび前記メモリ構成要素がさらに、
前記アクセスポイントから受信されたヌルデータパケット(NDP)またはNDP告知(NDPA)に少なくとも部分的に基づいて圧縮されたV行列を生成し、
前記チャネル状態情報として前記支援RATを使用して前記圧縮されたV行列を前記第2の接続を介して前記アクセスポイントに送信する
ように構成される、請求項10に記載の装置。
【請求項１７】
前記少なくとも1つのプロセッサおよび前記メモリ構成要素が、更新された圧縮されたV行列を前記第2の接続を介して前記アクセスポイントに定期的に送信するように構成される、請求項16に記載の装置。
【請求項１８】
前記第1のRATがワイヤレスローカルエリアネットワーク(WLAN)RATであり、前記支援RATがセルラー技術RATである、請求項10に記載の装置。
【請求項１９】
第1の無線アクセス技術(RAT)および支援RATを使用してワイヤレスネットワークにおいて通信するためのコンピュータ実行可能コードを含むコンピュータ可読記憶媒体であって、前記コードが、
前記第1のRATを使用してアクセスポイントとの第1の接続を確立するためのコードと、
前記支援RATを使用して前記アクセスポイントと第2の接続を確立するためのコードと、
前記支援RATのタイムラインに少なくとも部分的に基づいて前記第1の接続のタイミングを同期させるためのコードであり、前記第1のRAT無線機が、前記タイミングを同期させることに少なくとも部分的に基づいて少なくとも前記第1の接続を介して前記アクセスポイントとデータを通信するように構成された、コードと、
前記支援RATを使用して前記第2の接続を介して前記アクセスポイントと、前記第1の接続のタイミングを同期させた後に、前記第１の接続のための前記第1のRATの制御データを通信するステップであり、前記制御データが、前記第1のRATの１または複数のプリアンブル信号、前記第1のRATのフィードバック、あるいは、前記第1のRATのチャネル状態情報の少なくとも１つからなる、コードと
を含む、コンピュータ可読記憶媒体。
【請求項２０】
少なくとも前記第2の接続を介して制御データを通信するための前記コードが、前記支援RATを使用して前記第2の接続を介して、少なくとも前記第1の接続を介して前記アクセスポイントと通信された前記データを復号することに関係する前記第1のRATの1つまたは複数のプリアンブル信号を受信する、請求項19に記載のコンピュータ可読記憶媒体。